(57)【要約】  本発明は、スミレ（Ｖｉｏｌａｃｅａｅ）科の植物、特に、成長期間が短縮されたパンジー植物に関する。特に、同時に、かつ同一条件下で栽培したとき、本発明の植物は対照植物に比べて著しく速く成長する。本発明のパンジー植物の栽培方法およびその使用もまた提供される。【特許請求の範囲】
【請求項１】
播種後１２１日以内に成熟できることを特徴とするヴィオラ・ヴィットロキアナ（Ｖｉｏｌａ  ×  ｗｉｔｔｒｏｃｋｉａｎａ）種に属するパンジー植物。
【請求項２】
播種後１１９日未満で成熟できることを特徴とする請求項１に記載のヴィオラ・ヴィットロキアナ（Ｖｉｏｌａ  ×  ｗｉｔｔｒｏｃｋｉａｎａ）種に属するパンジー植物。
【請求項３】
播種後８９日〜１１９日の間に成熟できる請求項１または２に記載の植物。
【請求項４】
播種後８９日〜１２１日の間に成熟できる請求項１または２に記載の植物。
【請求項５】
１６℃未満の平均温度で栽培されると成熟できる請求項１〜４のいずれか一項に記載の植物。
【請求項６】
１４℃未満の平均温度で栽培されると成熟できる請求項１〜５のいずれか一項に記載の植物。
【請求項７】
１３℃未満の平均温度で栽培されると成熟できる請求項１〜６のいずれか一項に記載の植物。
【請求項８】
前記植物の個体群の少なくとも５０％が、平均して少なくとも一輪の成熟開花を有する請求項１〜７のいずれか一項に記載の植物。
【請求項９】
前記植物の個体群の少なくとも約７０％が、平均して少なくとも一輪の成熟開花を有する請求項１〜８のいずれか一項に記載の植物。
【請求項１０】
スピーディローズメドレー（その代表的種子は、寄託番号ＮＣＩＭＢ  ４１９３１でＮＣＩＭＢに寄託されている）との交雑により得られるか、またはスピーディトゥルーブルー（その代表的種子は、寄託番号ＮＣＩＭＢ  ４１９３２でＮＣＩＭＢに寄託されている）との交雑により得られる請求項１〜９のいずれか一項に記載の植物。
【請求項１１】
交雑種または近交系である請求項１〜１０のいずれか一項に記載の植物。
【請求項１２】
請求項１〜１１のいずれか一項に記載のパンジー植物の植物部位。
【請求項１３】
請求項１〜１１のいずれか一項に記載のパンジー植物の種子。
【請求項１４】
ヴィオラ・ヴィットロキアナ（Ｖｉｏｌａ  ｗｉｔｔｒｏｃｋｉａｎａ）種に属する交雑種パンジー植物の個体群を栽培する方法であって、播種する工程、および前記植物個体群を成長させる工程を含み、かつ播種から成熟に至る時間間隔が８９〜１２１日である方法。
【請求項１５】
請求項１４に記載のヴィオラ・ヴィットロキアナ（Ｖｉｏｌａ  ｗｉｔｔｒｏｃｋｉａｎａ）種に属する交雑種パンジー植物の個体群を栽培する方法であって、播種する工程、および前記植物個体群を成長させる工程を含み、かつ前記播種から成熟に至る時間間隔が８９〜１１９日である方法。
【請求項１６】
ａ）前記播種から成熟に至る時間間隔が１１９日以内であり；ｂ）前記時間間隔の最後の９８日間の前記個体群を成長させる平均温度が１６℃以下であり；かつｃ）前記個体群の少なくとも５０％が少なくとも１輪以上の成熟開花を有する請求項１４または１５に記載の方法。
【請求項１７】
ａ）前記播種から成熟に至る時間間隔が１１３日以内であり；ｂ）前記時間間隔の最後の９２日間の前記個体群を成長させる平均温度が１６℃以下であり；かつｃ）前記個体群の少なくとも５０％が少なくとも１輪以上の成熟開花を有する請求項１４または１５に記載の方法。
【請求項１８】
ａ）前記播種から成熟に至る時間間隔が１０７日以内であり；ｂ）前記時間間隔の最後の９８日間の前記個体群を成長させる平均温度が１６℃以下であり；かつｃ）前記個体群の少なくとも５０％が少なくとも１輪以上の成熟開花を有する請求項１４または１５に記載の方法。
【請求項１９】
ａ）前記播種から成熟に至る時間間隔が１０１日以内であり；ｂ）前記時間間隔の最後の８０日間の前記個体群を成長させる平均温度が１６℃以下であり；かつｃ）前記個体群の少なくとも５０％が少なくとも１輪以上の成熟開花を有する請求項１４または１５に記載の方法。
【請求項２０】
工程ｃ）において、前記個体群の少なくとも７０％が少なくとも一輪以上の成熟開花を有する請求項１６〜１９のいずれか一項に記載の方法。
【請求項２１】
工程ｂ）において、前記時間間隔の間の平均温度が１４℃以下である請求項１６〜１９のいずれか一項に記載の方法。
【請求項２２】
工程ｂ）において、前記時間間隔の間の平均温度が１１℃以下である請求項１６〜１９のいずれか一項に記載の方法。
【請求項２３】
工程ｂ）において、前記時間間隔の間の平均温度が８℃以下である請求項１６〜１９のいずれか一項に記載の方法。
【請求項２４】
請求項１〜１０の植物を栽培するための請求項１６〜２３のいずれか一項に記載の方法。
【請求項２５】
請求項１〜１０のいずれか一項に記載のパンジー植物またはその部位の花壇用植物または鉢植え用植物としての使用。
【発明の詳細な説明】
【技術分野】
【０００１】
本発明はスミレ（Ｖｉｏｌａｃｅａｅ）科に属する植物に係り、特に、春季において成熟に達するのに必要な期間がより短いパンジー植物に関する。
【背景技術】
【０００２】
パンジーは、園芸花として栽培されている大きな交雑植物群である。パンジーは、他のスミレ種と交雑したスミレ（Ｖｉｏｌａ）種のサンシキスミレ（Ｖｉｏｌａ  ｔｒｉｃｏｌｏｒ）に由来するものであり、これらの交雑種はヴィオラ・ヴィットロキアナ（Ｖｉｏｌａ  ×  ｗｉｔｔｒｏｃｋｉａｎａ）、または、あまり一般的でないがヴィオラ・トリコロール・ホルテンシス（Ｖｉｏｌａ  ｔｒｉｃｏｌｏｒ  ｈｏｒｔｅｎｓｉｓ）と呼ばれている。「パンジー」という名前はまた、ヨーロッパの野草である他のスミレ（Ｖｉｏｌａ）種の慣用名の一部にも見られる。
【０００３】
現代の園芸家は、黄色、金色、橙色、紫色、菫色、赤色、白色に加え、黒色（非常に濃い紫色）さえも含む様々な色および二色の花のパンジーを開発するとともに、色が変化する変種を開発してきた。パンジーの花には、一般に大きく華やかな模様がある。
【０００４】
一般に、パンジーは耐寒性植物であり、その開花期においてさえ凍結温度に耐えられるであろう。植物は、水はけが良好な土壌中で、日当たりが良いか、または部分的に日が当たる場所でよく育つ。パンジーは、通常、二年生植物である。１年目の年、植物は緑の葉をつけ、生育の２年目に花と種をつける。その後、この植物は一年生植物と同様に枯死する。
【０００５】
パンジーは、軽い凍結および短期間の積雪には耐えることができるが、積雪の長い地域では冬用ドライマルチで覆うことが推奨される。パンジーは、温暖で、かつ温和な降雨の時間と日照時間が等しい地域で最もよく育つ。
【０００６】
パンジーは、通常、花をつける植物として最終消費者に販売されている。春に向けて栽培された普通の（二年生の）パンジーは、開花期に入れば、日照時間と温度に強く反応する。開花応答は、季節により、また変種により異なる。そのため、パンジーを販売する時期の予測は困難である。パンジーの開花が早すぎたり遅すぎたりすることは非常に頻繁に起こる。多くの場合、栽培者は、植物成長調整剤の散布、作物の加熱または冷却、早咲きの花の摘み取りのような調整作業を行う必要がある。なされたそれぞれの調整には、労働力や資金を要し、かつ失敗の危険がある。例えば、オランダでは、多くの小売会社は、春の特定の週にパンジーの販売を開始してきており、したがって、成長予測の可能な変種に対する要求が一層高まってきている。
【発明の概要】
【発明が解決しようとする課題】
【０００７】
したがって、より一様に、より予想通りに成長し、労働コストおよび資源の投入がより少なくて済むパンジー植物が求められている。
【課題を解決するための手段】
【０００８】
本明細書に記載するパンジーは、変種内および変種間で一様性を示すため、本発明は、この問題に対する解決策を提供するものである。それらはまた、日長の影響を受けず、春の生産周期は約６０日短縮される。
【０００９】
したがって、顧客は、より短期の生産周期、より柔軟な計画、より少ない失敗の危険性、完全なプログラム可能性、および早期開花の危険性が皆無であることを手にするという恩恵を受ける。温室の照明および加熱に使用される電力が顕著に減少する。消費者にとっての恩恵は、明らかに、成長し満開で咲き続ける新鮮な花壇用植物が提供されることである。
【００１０】
したがって、本発明は、パンジー栽培者と最終消費者の間で満たされていない要求を満たすユニークな植物である。
【００１１】
驚いたことに、本願の発明者らは、光が少ない条件下で開花する、成長の速いパンジー（ヴィオラ・ヴィットロキアナ（Ｖｉｏｌａ  ×  ｗｉｔｔｒｏｃｋｉａｎａ））を開発した。これらのパンジーを、例えば昼夜１１℃で栽培すると、北西ヨーロッパでの春季用に、非常に予想通りに、かつ普通の（二年生の）パンジーより最大３０％まで速く栽培することができる。
【００１２】
したがって、本発明は、播種後１２１日以内に（言い換えれば、１２１日以下の内に）成熟できることを特徴とする、ヴィオラ・ヴィットロキアナ（Ｖｉｏｌａ  ×  ｗｉｔｔｒｏｃｋｉａｎａ）種に属するパンジー植物を提供する。一実施形態では、本発明はスミレ（Ｖｉｏｌａｃｅａｅ）科に属する植物であって、播種後約１１９日未満で成熟できることを特徴とする植物を提供する。一実施形態では、前記植物はスミレ（Ｖｉｏｌａ）属に属する。他の一実施形態では、前記植物は交雑パンジーである。他の一実施形態では、前記植物はヴィオラ・ヴィットロキアナ（Ｖｉｏｌａ  ×  ｗｉｔｔｒｏｃｋｉａｎａ）種に属する。
【００１３】
また、本発明によれば、播種後約１１３日未満で成熟できる植物が提供される。一実施形態では、前記植物は、１６℃未満の平均温度で栽培されると、成熟できる。他の一実施形態では、前記植物は、１４℃未満の平均温度で栽培されると、成熟することができる。他の一実施形態では、前記植物は、１３℃未満の平均温度で栽培されると、成熟できる。他の一実施形態では、前記植物は、１１℃未満の平均温度で栽培されると、成熟できる。他の一実施形態では、前記植物は、８℃未満の平均温度で栽培されると、成熟できる。
【００１４】
また、本発明によれば、一定の光強度の条件下で栽培されると成熟できる植物が提供される。一実施形態では、前記植物は、定義された一定光強度のＰＡＲで栽培されると、成熟できる。
【００１５】
また、本発明によれば、一定の空気湿度で栽培されると成熟できる植物が提供される。
【００１６】
また、本発明によれば、少なくとも一輪の成熟開花を有する植物が提供される。一実施形態では、前記植物の個体群の少なくとも約５０％が、平均して少なくとも一輪の成熟開花を有する。他の一実施形態では、前記植物の個体群の少なくとも約７０％が、平均して少なくとも１輪の成熟開花を有する。
【００１７】
一実施形態では、前記植物は、播種後約１２１日以内に成熟する。一実施形態では、前記植物は、播種後約１１９日以内に成熟する。他の一実施形態では、前記植物は、播種後８９〜１２１日で成熟する。他の一実施形態では、前記植物は、播種後８９〜１１９日で成熟する。
【００１８】
本発明によれば、スピーディローズメドレー（Ｓｐｅｅｄｙ  Ｒｏｓｅ  Ｍｅｄｌｅｙ）（その代表的種子が、寄託番号ＮＣＩＭＢ  ４１９３１でＮＣＩＭＢに寄託されている）との交雑により得られる植物が提供される。
【００１９】
本発明によれば、スピーディトゥルーブルー（Ｓｐｅｅｄｙ  Ｔｒｕｅ  Ｂｌｕｅ）（その代表的種子が、寄託番号ＮＣＩＭＢ  ４１９３２でＮＣＩＭＢに寄託されている）との交雑により得られる植物が提供される。
【００２０】
また、本発明によれば、日長の影響を受けない植物が提供される。
【００２１】
また、本発明によれば、寿命が１年である植物が提供される。
【００２２】
一実施形態では、本発明の植物は交雑種である。一実施形態では、前記植物は四倍体である。一実施形態では、前記植物は近交系である。
【００２３】
本発明はまた、スピーディローズメドレー（その代表的種子が、寄託番号ＮＣＩＭＢ  ４１９３１でＮＣＩＭＢに寄託されている）である植物を提供する。
【００２４】
本発明はまた、スピーディトゥルーブルー（その代表的種子が、寄託番号ＮＣＩＭＢ  ４１９３２でＮＣＩＭＢに寄託されている）である植物を提供する。
【００２５】
本発明はまた、本発明のパンジー植物の植物部位を提供する。
【００２６】
一実施形態では、前記植物部位は、増やした挿し穂、種子および花粉からなる群から選択される。
【００２７】
また、パンジー植物の種子であって、植物に成長したときに、本発明の植物の顕著な特徴を示す種子が提供される。
【００２８】
また、ヴィオラ・ヴィットロキアナ（Ｖｉｏｌａ  ｗｉｔｔｒｏｃｋｉａｎａ）種に属する交雑パンジー植物個体群の栽培方法であって、播種する工程、および前記植物個体群を成長させる工程を含み、かつ播種から成熟に至る時間間隔が８９〜１２１日である方法が提供される。
【００２９】
また、ヴィオラ・ヴィットロキアナ（Ｖｉｏｌａ  ｗｉｔｔｒｏｃｋｉａｎａ）種に属する交雑パンジー植物個体群の栽培方法であって、播種する工程、および前記植物個体群を成長させる工程を含み、かつ播種から成熟に至る時間間隔が８９〜１１９日である方法が提供される。
【００３０】
一実施形態では、前記方法はさらに、ａ）播種から成熟に至る時間間隔が１２１日以内である工程；ｂ）前記時間間隔の最後の９８日間の前記個体群を成長させる平均温度が１６℃以下である工程；およびｃ）前記個体群の少なくとも５０％が少なくとも１輪以上の成熟開花を有する工程を含む。
【００３１】
一実施形態では、前記方法はさらに、ａ）播種から成熟に至る時間間隔が１１９日以内である工程；ｂ）前記時間間隔の最後の９８日間の前記個体群を成長させる平均温度が１６℃以下である工程；およびｃ）前記個体群の少なくとも５０％が少なくとも１輪以上の成熟開花を有する工程を含む。
【００３２】
一実施形態では、前記方法はさらに、ａ）播種から成熟に至る時間間隔が１１３日以内である工程；ｂ）前記時間間隔の最後の９２日間の前記個体群を成長させる平均温度が１６℃以下である工程；およびｃ）前記個体群の少なくとも５０％が少なくとも１輪以上の成熟開花を有する工程を含む。
【００３３】
一実施形態では、前記方法はさらに、ａ）播種と成熟の時間間隔が１０７日以内である工程；ｂ）前記時間間隔の最後の８６日間の前記個体群を成長させる平均温度が１６℃以下である工程；およびｃ）前記個体群の少なくとも５０％が少なくとも１輪以上の成熟開花を有する工程を含む。
【００３４】
一実施形態では、前記方法はさらに、ａ）播種と成熟の時間間隔が１０１日以内である工程；ｂ）前記時間間隔の最後の８０日間の前記個体群を成長させる平均温度が１６℃以下である工程；およびｃ）前記個体群の少なくとも５０％が少なくとも一輪以上の成熟開花を有する工程を含む。
【００３５】
一実施形態では、工程ｃ）において、前記個体群の少なくとも７０％が少なくとも一輪以上の成熟開花を有する。
【００３６】
一実施形態では、工程ｂ）において、前記時間間隔の間の平均温度が１４℃以下である。
【００３７】
一実施形態では、工程ｂ）において、前記時間間隔の間の平均温度が１３℃以下である。
【００３８】
一実施形態では、工程ｂ）において、前記時間間隔の間の平均温度が１１℃以下である。
【００３９】
一実施形態では、工程ｂ）において、前記時間間隔の間の平均温度が８℃以下である。
【００４０】
また、上述したように、本発明によれば、植物の栽培方法が提供される。
【００４１】
また、本発明によれば、パンジー植物またはその一部の使用が提供される。一実施形態では、前記使用は花壇用植物としてである。他の一実施形態では、前記使用は鉢植え用植物としてである。
【００４２】
定義
本明細書の以下において、特に断りがなければ、本願の範囲で使用される技術的用語および表現には、一般に、植物の繁殖および栽培に関係する技術分野でそれらに一般的に適用される意味が与えられる。
【００４３】
ＰＡＲ（光合成有効放射）とは、光合成生物が光合成過程で使用できる４００〜７００ナノメートルの日射のスペクトル範囲（波長帯）を示す。
【００４４】
本発明の植物個体群の成熟とは、前記個体群の少なくとも５０％が少なくとも一輪の開花を有する成長段階を意味するものと見做される。
【００４５】
本明細書および添付の特許請求の範囲で使用されるとき、単数形の「ａ」、［ａｎ」および「ｔｈｅ」は、文脈からそうでないことが明らかな場合を除き、複数の指示対照を含むものとする。したがって、例えば、「ａ  ｐｌａｎｔ（一株の植物）」は、一株以上の植物を含む。
【００４６】
本明細書では、値、または質量、重量、時間、体積、濃度もしくは百分率の量を示すときの用語「約」は、指定された量から、ある実施形態では±２０％、ある実施形態では±１０％、ある実施形態では±５％、ある実施形態では±１％、ある実施形態では±０．５％、さらにある実施形態では±０．１％の変動を含むことを意味するが、これは、そのような変動が、開示された方法を実施するのに適しているからである。
【００４７】
本明細書では、用語「繁殖」およびその文法上の変化形は、後代個体を作り出す任意の過程をいう。繁殖は、有性生殖もしくは無性生殖、またはこれらの任意の組み合わせにより行うことができる。繁殖の種類の例としては、交雑、自配、倍加半数体派生物産生、およびこれらの組み合わせが挙げられるが、これらに限定されない。
【００４８】
「栽培パンジー植物」とは、本発明の範囲では、もはや自然の状態ではなく、人の世話により、かつ人の使用および／または消費のために育てられた植物を指すと理解される。「栽培植物」とは、さらに、本発明の主題である特性を、生得の形質および／または生得の遺伝形質の一部として含む野生種を排除することと理解される。
【００４９】
本明細書で使用されるとき、植物の繁殖に関する用語の「交雑種」は、２つの近交系の交雑など（これに限定されない）、異なる系統、品種または種の植物を交雑させることにより作り出された、遺伝的に親に似ていない子である植物をいう。
【００５０】
本明細書で使用されるとき、用語「連鎖」および文法上のその変化形は、同一染色体上の異なる遺伝子座にある対立遺伝子が、ある実施形態では、それらが物理的に接近しているため、もしそれらの遺伝が独立したものであった場合に、たまたま起こり得るであろうよりも頻繁に、一緒に分離する傾向をいう。連鎖は、遺伝子座間の組換え価により測定される（センチモルガン、ｃＭ）。
【００５１】
「遺伝子座」とは、本発明の範囲では、遺伝子、または形質に寄与する他の遺伝要素もしくは因子を含む、染色体上の領域のことをいうと理解される。
【００５２】
「植物」とは、成長の任意の段階にある植物であり、特に種子植物である。
【００５３】
「植物細胞」とは、植物の構造的および生理的単位であり、原形質および細胞壁を含む。植物細胞は、単離された単一細胞、培養細胞の形態、または、例えば植物組織、植物器官、もしくは植物全体などの、組織化されたより高度の単位の一部としての形態をとり得る。
【００５４】
「植物細胞培養物」は、例えば、原形質、細胞培養細胞、植物組織の細胞、花粉、花粉管、胚珠、胚嚢、接合子、および成長の各種段階における胚などの植物単位の培養物を意味する。
【００５５】
本明細書で使用されるとき、用語「植物部位」とは、単一細胞や、植物を再生することができる植物、細胞集団、および組織培養物中の無傷の植物細胞などの細胞組織などの、植物の一部をいう。植物部位の例としては、単一細胞、ならびに、花粉、胚珠、葉、胚、根、根端、葯、花、果実、茎、シュートおよび種子からの組織、さらに、接ぎ穂、台木、原形質および癒合組織などが挙げられるが、これらに限定されない。
【００５６】
本明細書で使用されるとき、用語「個体群」とは、共通の遺伝起源を共有する植物の、遺伝的には不均一の集団を意味する。通常、植物の個体群は、程度の差はあるが、花色の発現に関して同一の成熟時表現型を有する、１０株以上の植物に対応する。
【００５７】
本明細書で使用されるとき、用語「後代」とは、特定の雑種の子孫をいう。いくつかの種（特に、いくつかの植物および両性器を有する動物）は自配することができる（すなわち、同一植物が、雄性および雌性の両配偶子のドナーとして働く）が、通常、後代は、２つの個体の交配から得られる。子孫は、例えば、Ｆ１、Ｆ２、または任意のその後の世代であり得る。
【００５８】
「形質」とは、本発明の範囲では、例えば開花期間の短縮などの、特質または表現型をいうと理解される。形質は、優性または劣性遺伝で受け継がれることができ、あるいは一遺伝子性または多遺伝子性であり得る。
【００５９】
「優性」とは、本発明の範囲では、対立遺伝子が異型接合状態または同型接合状態で存在するときに、表現型を決定する対立遺伝子のことであると理解される。
【００６０】
「劣性」対立遺伝子は、同型接合状態で存在するときにのみ、表に現れる。
【発明を実施するための形態】
【００６１】
本願は、ヴィオラ・ヴィットロキアナ（Ｖｉｏｌａ  ×  ｗｉｔｔｒｏｃｋｉａｎａ）種に属する新規のパンジー植物を記載するものである。特に、それは、従来のパンジー植物に比して、非常に短期間で成熟するパンジー植物を記載するものである。成長周期が短縮されるため、本発明の植物は、従来の植物に比して「スピーディ」パンジーと呼ばれ得る。
【００６２】
生産周期は、通常、約６０日短縮することができる。栽培者にとっての恩恵は、成長の一様性に見出すことができる。これは、失敗の危険性の低減、完全なプログラム可能性、および早期開花の危険性の除去を意味する。最終消費者にとっての恩恵は、成長と満開の開花を続ける新鮮な花壇用植物が提供されることである。
【００６３】
このように、本発明は、パンジー栽培者一部および最終消費者の一部、特にオランダやドイツなどの北西ヨーロッパの国々のそうした人々の、満たされていなかった要求を満たす。しかしながら、本発明のパンジー植物はまた、世界の他の地域の栽培者および消費者にも恩恵をもたらすことができる。
【００６４】
本発明は、スミレ（Ｖｉｏｌａｃｅａｅ）科に属する植物であって、播種後約１１９日未満で成熟できることを特徴とする植物を提供する。一実施形態では、前記植物はスミレ（Ｖｉｏｌａ）属に属する。一実施形態では、前記植物はパンジーである。他の一実施形態では、前記植物はヴィオラ・ヴィットロキアナ（Ｖｉｏｌａ  ×  ｗｉｔｔｒｏｃｋｉａｎａ）種に属する。他の一実施形態では、前記植物はサンシキスミレ（Ｖｉｏｌａ  ｔｒｉｃｏｌｏｒ）種に属する。他の一実施形態では、前記植物はヴィオラ・ルテア（Ｖｉｏｌａ  ｌｕｔｅａ）種に属する。
【００６５】
スピーディ表現型の主たる恩恵は、栽培者の播種から成熟までの期間の短縮である。
【００６６】
成長期間の短縮は、植物が、パンジーによくある数種類の病気の１つに罹る機会を減らすのに役立つ。これらの病気としては、土壌伝播性の真菌により引き起こされ、パンジー病としても知られる菌核病が挙げられる。他の病気には、斑点病（ラムラリア・デフレクテンス（Ｒａｍｕｌａｒｉａ  ｄｅｆｌｅｃｔｅｎｓ））があり、これもまた真菌の感染である。他の病気には、よどんだ空気を原因とするうどん粉病であり、これは噴霧（特に、葉の裏）により抑制できるが、必ずしも除去できない。パンジーはまた、群葉を食害するナメクジやカタツムリなどの害虫、ならびに、成長障害および黄変縞模様の発生をもたらすキュウリモザイクウイルスを感染させるアブラムシの危険にさらされる。したがって、一実施形態では、本発明の植物は、上記の病気または害虫のいずれか一つによる被害を受ける危険性が低下している。
【００６７】
形態的には、従来型パンジーの成熟したものは、直径が最大１０ｃｍであり、２枚の僅かに重なり合った上方花弁、２枚の側方花弁および１枚の下方花弁を有し、花の中心から細い芒が突き出ている。広範囲の色および２色を有する花が作り出されている。この植物は、高さ２０ｃｍまで成長することができ、様々な程度の日照と水はけの良好な土壌を好む。より小さい、またはより大きい花の栽培品種が入手できる。
【００６８】
このスピーディパンジーは、例えば、非常に短期間で成熟するため、従来型パンジーとは容易に見分けることができる。
【００６９】
一般に、パンジー植物は、その個体群の少なくとも５０％、好ましくはその個体群の少なくとも７０％が少なくとも一輪の開花を有するとき、栽培者はこれらを販売することができる。
【００７０】
このように、本発明によれば、播種後約１１９日未満、好ましくは播種後約１１３日未満、より好ましくは播種後約１０７日未満、最も好ましくは播種後約１０１日で成熟できる植物がまた提供される。
【００７１】
従来のパンジーの栽培は、通常、数段階を含む。これらは、水はけが良く、病原菌を含まない媒体を用いるプラグ作りを含み得る。より良好な発芽成績を得るには、播種時に、発芽する種子の周りの湿度維持を助けることが推奨される。発芽には約数日を要する。発芽には、一般に光は必要としない。従来のパンジーは、植物成長調整剤（ＰＧＲ）を必要とすることが非常に多い。その後、プラグ段階でつぼみの形成が開始されるのを避けるために、正しい時期にプラグから移植しなければならない。
【００７２】
スピーディパンジーは、必要とする植物成長調整剤の量が従来のパンジーより少ないという利点を有する。
【００７３】
一実施形態では、前記植物は、平均的な温度条件下で栽培されたときに、成熟できる。他の一実施形態では、前記植物は、平均温度が１６℃以下、より好ましくは平均１４℃以下、より一層好ましくは１３℃以下、より一層好ましくは平均１１℃以下、最も好ましくは平均８℃以下で栽培されたときに成熟できる。従来のパンジーでは、日照時間が不十分であると、完全には成長せず、小さな白いつぼみが形成されることが知られている。しかしながら、驚いたことに、本発明の発明者らは、スピーディパンジーの日照時間の短縮に対する応答性が比較的低く、一般に弱い光に対し反応しないことを見出した。
【００７４】
本発明によれば、また、一定の光強度の条件下で栽培されたときに成熟できる植物が提供される。一実施形態では、前記植物は、定義されたＰＡＲの一定の光強度で栽培されたときに成熟できる。
【００７５】
本発明によれば、また、空中湿度が平均７９％の条件下で栽培されると成熟できる植物が提供される。他の一実施形態では、前記植物は、表４および表５に示す条件下で、かつ表６の加重平均条件下に、あるいはこれらに近い条件下で栽培されたときに成熟できる。一実施形態では、栽培条件は、表４および表５に示す条件、並びに表６の加重平均条件から１０％を超えて変化することはない。
【００７６】
本発明によれば、また、少なくとも一輪の成熟開花を有する植物が提供される。一実施形態では、前記植物個体群の少なくとも約５０％が、平均して少なくとも一輪の成熟開花を有する。他の一実施形態では、前記植物個体群の少なくとも約７０％が、平均して少なくとも一輪の成熟開花を有する。
【００７７】
本発明の典型的植物は、播種後８９日〜１２１日で成熟する。他の一実施形態では、前記植物は、播種後８９日〜１１９日で成熟する。他の一実施形態では、前記植物は、播種後８９日〜１１３日で成熟する。他の一実施形態では、前記植物は、播種後８９日〜１０７日で成熟する。他の一実施形態では、前記植物は、播種後８９日〜１０１日で成熟する。
【００７８】
本発明によれば、また、スピーディローズメドレー（その代表的種子は、寄託番号ＮＣＩＭＢ  ４１９３１でＮＣＩＭＢに寄託されている）との交雑により得られる植物が提供される。
【００７９】
本発明によれば、また、スピーディトゥルーブルー（その代表的種子は、寄託番号ＮＣＩＭＢ  ４１９３２でＮＣＩＭＢに寄託されている）との交雑により得られる植物が提供される。
【００８０】
本発明によれば、また、日長の影響を受けない植物が提供される。
【００８１】
本発明によれば、また、寿命が１年ある植物が提供される。
【００８２】
一実施形態では、上記の本発明の植物は交雑種である。一実施形態では、前記植物は四倍体である。一実施形態では、前記植物は近交系である。一実施形態では、前記植物は無性生殖で繁殖する。一実施形態では、前記植物は変種ではない。
【００８３】
実施例で詳述する試行の結果は、スピーディ変種が、従来のパンジーと比較して、概ね、非常に短期間で成熟することを示している。本発明の範囲に入るスピーディ系変種にとしては、ヴィオラ・ヴィットロキアナ（Ｖｉｏｌａ  ×  ｗｉｔｔｒｏｃｋｉａｎａ）、ブルーバード（Ｂｌｕｅ  Ｂｉｒｄ）、ピュアホワイト（Ｐｕｒｅ  ｗｈｉｔｅ）、ピュアイエロー（Ｐｕｒｅ  Ｙｅｌｌｏｗ）、ローズメドレー（Ｒｏｓｅ  Ｍｅｄｌｅｙ）、ライトマリーナ（Ｌｉｇｈｔ  Ｍａｒｉｎａ）、ライトブルー（Ｌｉｇｈｔ  Ｂｌｕｅ）、トゥルーブルー（Ｔｒｕｅ  Ｂｌｕｅ）、イエロー／パープル及びローズメドレー（Ｙｅｌｌｏｗ／Ｐｕｒｐｌｅ，ａｎｄ  Ｒｏｓｅ  Ｍｅｄｌｅｙ）が挙げられる。
【００８４】
本発明はまた、スピーディローズメドレー（その代表的な種子は、寄託番号ＮＣＩＭＢ  ４１９３１でＮＣＩＭＢに寄託されている）である植物を提供する。スピーディローズメドレーの表現型は、英国王立園芸協会のカラースケールにより次のように記述することができる：５９Ｃ（赤紫色群）４０％  、７１Ａ（赤紫色群）３０％、５３Ａ（赤色群）１０％、７２Ｂ（赤紫色群）１０％、およびＮ７８Ａ（紫色群）１０％。
【００８５】
本発明はまた、スピーディトゥルーブルー（その代表的種子は、寄託番号ＮＣＩＭＢ  ４１９３２でＮＣＩＭＢに寄託されている）である植物を提供する。スピーディトゥルーブルーの表現型は、英国王立園芸協会のカラースケールにより次のように記述することができる：９５Ａ（青紫色群）６０％、９３Ａ（青紫色群）３０％、および９５Ｂ（青紫色群）１０％。
【００８６】
スピーディローズメドレー（その代表的種子は、寄託番号ＮＣＩＭＢ  ４１９３１でＮＣＩＭＢに寄託されている）およびスピーディトゥルーブルー（その代表的種子は、寄託番号ＮＣＩＭＢ  ４１９３２でＮＣＩＭＢに寄託されている）は、いずれもマーカー分析により同定することができ、そのようなものとして他のパンジーと容易に区別することができる。
【００８７】
本発明は、また、本発明のパンジー植物の植物部位を提供する。
【００８８】
一実施形態では、前記植物部位は、増やされた挿し穂、種子および花粉からなる群から選択される。
【００８９】
また、植物に成長したとき、本発明の植物の特徴的な特性を示す、パンジー植物の種子が提供される。
【００９０】
本発明によれば、また、ヴィオラ・ヴィットロキアナ（Ｖｉｏｌａ  ｗｉｔｔｒｏｃｋｉａｎａ）種に属する交雑種パンジー植物の個体群を栽培する方法であって、播種する工程、および前記植物個体群を成長させる工程を含み、かつ播種から成熟に至る時間間隔が８９〜１２１日である方法が提供される。
【００９１】
本発明によれば、また、ヴィオラ・ヴィットロキアナ（Ｖｉｏｌａ  ｗｉｔｔｒｏｃｋｉａｎａ）種に属する交雑種パンジー植物の個体群を栽培する方法であって、播種する工程、および前記植物個体群を成長させる工程を含み、かつ播種から成熟に至る時間間隔が８９〜１１９日である方法が提供される。
【００９２】
一実施形態では、前記方法は、ａ）播種から成熟に至る時間間隔が１２１日以下である工程、ｂ）前記時間間隔の最後の９８日間の前記個体群を成長させる平均温度が１６℃以下である工程、およびｃ）少なくとも５０％の前記個体群が少なくとも一輪以上の成熟開花を有する工程をさらに含む。
【００９３】
一実施形態では、前記方法は、ａ）播種から成熟に至る時間間隔が１１９日以下である工程、ｂ）前記時間間隔の最後の９８日間の前記個体群を成長させる平均温度が１６℃以下である工程、およびｃ）少なくとも５０％の前記個体群が少なくとも一輪以上の成熟開花を有する工程をさらに含む。
【００９４】
一実施形態では、前記方法は、ａ）播種から成熟に至る時間間隔が１１３日以下である工程、ｂ）前記時間間隔の最後の９２日間の前記個体群を成長させる平均温度が１６℃以下である工程、およびｃ）少なくとも５０％の前記個体群が少なくとも一輪以上の成熟開花を有する工程をさらに含む。
【００９５】
一実施形態では、前記方法は、ａ）播種から成熟に至る時間間隔が１０７日以下である工程、ｂ）前記時間間隔の最後の８６日間の前記個体群を成長させる平均温度が１６℃以下である工程、およびｃ）少なくとも５０％の前記個体群が少なくとも一輪以上の成熟開花を有する工程をさらに含む。
【００９６】
一実施形態では、前記方法は、ａ）播種から成熟に至る時間間隔が１０１日以下である工程、ｂ）前記時間間隔の最後の８０日間の前記個体群を成長させる平均温度が１６℃以下である工程、およびｃ）少なくとも５０％の前記個体群が少なくとも一輪以上の成熟開花を有する工程をさらに含む。
【００９７】
一実施形態では、工程ｃ）において、少なくとも７０％の前記個体群が少なくとも一輪以上の成熟開花を有する。
【００９８】
一実施形態では、工程ｂ）において、前記時間間隔中の平均温度が１４℃以下である。
【００９９】
一実施形態では、工程ｂ）において、前記時間間隔中の平均温度が１３℃以下である。
【０１００】
一実施形態では、工程ｂ）において、前記時間間隔中の平均温度が１１℃以下である。
【０１０１】
一実施形態では、工程ｂ）において、前記時間間隔中の平均温度が８℃以下である。
【０１０２】
本発明によれば、また、上記のように、交雑種パンジー植物の個体群を栽培する方法が提供される。一実施形態では、本発明の方法は、１２１日以内に成熟できる植物個体群の栽培に限定され、特に、少なくとも５０％が１２１日以内に少なくとも一輪の開花を有する植物個体群に限定される。一実施形態では、本発明の方法は、１１９日未満で成熟できる植物個体群の栽培に限定され、特に、少なくとも５０％が１１９日未満に少なくとも一輪の開花を有する植物個体群に限定される。一実施形態では、上記の方法は、スピーディトゥルーブルー（その代表的種子は、寄託番号ＮＣＩＭＢ  ４１９３２でＮＣＩＭＢに寄託されている）の個体群を栽培するために使用される。一実施形態では、上記の方法は、スピーディローズメドレー（その代表的種子は、寄託番号ＮＣＩＭＢ  ４１９３１でＮＣＩＭＢに寄託されている）の個体群を栽培するために使用される。一実施形態では、植物個体群は、成熟したなら、販売に供されるか、または消費者に販売される。
【０１０３】
一実施形態では、植物の個体群は有蓋の温室内で栽培される。一実施形態では、北西ヨーロッパにおいて、播種日が第４３〜第４５週であり、成熟日が翌年の第９週〜第１１週である。北西ヨーロッパでは、そのような植物個体群を小売市場へ出荷する準備が整っているであろう。
【０１０４】
また、温室の交雑種のパンジー植物を栽培するための使用であって、ａ）播種から成熟に至る時間間隔が１２１日以下であり、ｂ）前記時間間隔の最後の９８日間の前記個体群を成長させる平均温度が１６℃以下である使用が提供される。
【０１０５】
また、温室の交雑種のパンジー植物を栽培するための使用であって、ａ）播種から成熟に至る時間間隔が１１９日以下であり、ｂ）前記時間間隔の最後の９８日間の前記個体群を成長させる平均温度が１６℃以下である使用が提供される。
【０１０６】
上記方法の全ての実施形態で、パンジー植物の個体群を栽培する方法は、植物の全ゲノムを有性交雑させる工程、およびその後の植物を選択する工程を明確に排除する。
【０１０７】
本発明によれば、また、パンジー植物またはその部位の使用が提供される。一実施形態では、前記使用は、花壇用植物としての使用である。他の一実施形態では、前記使用は鉢植え用植物としての使用である。
【０１０８】
種子寄託の詳細
変種スピーディトゥルーブルー  ＶＩ１７１（ヴィオラ・ヴィットロキアナ（Ｖｉｏｌａ  ×  ｗｉｔｔｒｏｃｋｉａｎａ）Ｆ１交雑種）は、ブダペスト条約の条項に従い、２０１２年２月１日付けで、番号ＮＣＩＭＢ  ４１９３２として、英国のアバディーン、クレイブストーンのＮＣＩＭＢに寄託されている。
【０１０９】
変種スピーディローズメドレー  ＶＩ１６９（ヴィオラ・ヴィットロキアナ（Ｖｉｏｌａ  ×  ｗｉｔｔｒｏｃｋｉａｎａ）Ｆ１交雑種）は、ブダペスト条約の条項に従い、２０１２年２月１日付けで、番号ＮＣＩＭＢ  ４１９３１として、英国のアバディーン、クレイブストーンのＮＣＩＭＢに寄託されている。
【０１１０】
変種スピーディゴールドと斑点（Ｓｐｅｅｄｙ  Ｇｏｌｄ  ｗｉｔｈ  Ｂｌｏｔｃｈ）  ＶＬ１６３（ヴィオラ・ヴィットロキアナ（Ｖｉｏｌａ  ×  ｗｉｔｔｒｏｃｋｉａｎａ）Ｆ１交雑種）は、ブダペスト条約の条項に従い、２０１２年２月１日付けで、番号ＮＣＩＭＢ  ４１９３３として、英国のアバディーン、クレイブストーンのＮＣＩＭＢに寄託されている。
【０１１１】
スピーディトゥルーブルーは、本発明の植物についての十分な開示を代表するものである。スピーディローズメドレーは、本発明の植物についての十分な開示を代表するものである。
【実施例】
【０１１２】
以下の実施例を提示して、本発明のいくつかの実施形態をより詳細に説明する。しかしながら、それらが本発明の広い範囲を限定するものであると決して理解されるべきではない。当業者であれば、本発明の範囲から逸脱することなく、本明細書に開示された原理に対する多くの変形や修正を考案することは容易にできるであろう。
【０１１３】
実施例１：対照パンジーと対比したスピーディパンジーの栽培試験
トルコで、スピーディパンジー変種と対照の市販のパンジー変種から種子を採取した。対照パンジーに対するスピーディパンジーの成績を評価するため、また栽培者に対する恩恵を定量化するために、２０１１年１０月末にオランダで栽培試験を開始した。各変種当たり４万株の植物を栽培した。密度は、１パッケージ当たり１０株の植物とした。試験に使用した植物の全株数は、対照系統も含め５０万株であった。
【０１１４】
栽培者試験では、下表１に記載した下記の変種を調べた。表中、「Ｔ］の文字は、トルコでの試験用生産時に生産された本発明のスピーディパンジーを表す。「Ｃ」で示した変種は商業的に入手可能である。「６．２」で示した変種は、依然実験中のものであり、未だ商業的には入手できない。
【０１１５】
【表１】
2015509720.tif 000002
【０１１６】
植物が土壌線の上に現れるまでに４週間前後を要した。植物を８個の薄い木箱に移植した。
【０１１７】
試験中、監視者により温度、湿度および照度が測定され、気候コンピュータに記録した。固定中心を地表面に位置させた。成長を正確に評価できるように、１週間毎に全パンジーの写真を撮った。植物成長調整剤の使用は最小限とした。
【０１１８】
栽培試験中、以下の気候データを記録した。第２列は、第１列に示した日付に測定した摂氏温度を示す。第３列は相対湿度を％で示す。
【０１１９】
【表２】
2015509720.tif 000003
【０１２０】
【表３】
2015509720.tif 000004
【０１２１】
【表４】
2015509720.tif 000005
【０１２２】
【表５】
2015509720.tif 000006
【０１２３】
上に示した条件で栽培したとき、スピーディトゥルーブルーおよびスピーディローズメドレーは、１１９日未満で成熟することが示された（各植物の個体群は少なくとも５０％開花した）。対照植物は、同じ時間枠ではこの成熟度に達することができなかった。
【０１２４】
実施例２
スピーディ系統の他の栽培試験
オランダのエンクホイゼン（Ｎｅｔｈｅｒｌａｎｄｓ、Ｅｎｋｈｕｉｚｅｎ）で、２０１２年１０月２５日に植物の種を蒔いた。以下の表は、参照系統と対比したスピーディ系統の早熟性を示している。開花植物の平均％が示されている。Ｎ＝２；１回の繰り返し当たり、９６の植物を試験。
【０１２５】
【表６】
2015509720.tif 000007
【０１２６】
２０１２年の第４３週から２０１３年の第８週の間に、以下の施肥割合を適用した。水やり目標は、普通乃至やや多めとした。
【０１２７】
【表７】
2015509720.tif 000008
【０１２８】
植物を栽培した土壌は、下表に示す特性を有した。
【０１２９】
【表８】
2015509720.tif 000009
【０１３０】
植物を栽培した気候を下に示す。
【０１３１】
【表９】
2015509720.tif 000010
【国際調査報告】
2015509720.tif 000011
2015509720.tif 000012